(57)【要約】      （修正有）【課題】ボリューム感を調整することができるかつらを提供する。【解決手段】頭部に被覆されるベース部材１と、ベース部材１に取付けられた毛髪とを有するかつらに於て、ベース部材１が、頭部の形状に沿う形状をしたキャップ部６と、キャップ部６の一部に固着されるスキン片と、を備え、さらに、ボリューム感をアップするためのボリューム形成毛束を備えている。ボリューム形成毛束の根元部４とスキン片７との接続部位Ｓ1 に、根元部４を起立角度調整自在に起立させるための塑性変形可能な金属部材５が設けられている。【選択図】図２
0003119754.tif 000002
【実用新案登録請求の範囲】
【請求項１】
頭部（Ｈ）に被覆されるベース部材（１）と、該ベース部材（１）に取付けられた毛髪（２）とを有するかつらに於て、
ボリューム感をアップするためのボリューム形成毛束（３）を備え、該ボリューム形成毛束（３）の根元部（４）と上記ベース部材（１）との接続部位（Ｓ）に、上記根元部（４）を起立角度調整自在に起立させるための塑性変形可能な金属部材（５）を設けたことを特徴とするかつら。
【請求項２】
頭部（Ｈ）に被覆されるベース部材（１）と、該ベース部材（１）に取付けられた毛髪（２）とを有するかつらに於て、
上記ベース部材（１）が、頭部（Ｈ）の形状に沿う形状をしたキャップ部（６）と、該キャップ部（６）の一部に固着されるスキン片（７）と、を備え、さらに、ボリューム感をアップするためのボリューム形成毛束（３）を備え、該ボリューム形成毛束（３）の根元部（４）と上記スキン片（７）との接続部位（Ｓ1 ）に、上記根元部（４）を起立角度調整自在に起立させるための塑性変形可能な金属部材（５）を設けたことを特徴とするかつら。
【請求項３】
上記塑性変形可能な金属部材（５）は、その先端部（８）が上記ボリューム形成毛束（３）の根元部（４）の内部に挿入状とされている請求項１又は２記載のかつら。
【考案の詳細な説明】
【技術分野】
【０００１】
本考案は、かつらに関する。
【背景技術】
【０００２】
一般に、かつらに於てボリューム感を与える場合、あらかじめボリューム感がある髪型に毛髪を配設したものが用いられる（例えば、特許文献１参照）。
【０００３】
しかし、自毛のように、自由に毛髪の根元部を起立させることは、困難であるという欠点があった。つまり、従来のかつらは、あらかじめ決められた形状（髪型）のみにて使用するものであった。また、根元部を起立させるためには、専用の整髪用スプレーを用いて、セット（整髪）する必要があった。
【特許文献１】特開平５−９８５０３号公報
【考案の開示】
【考案が解決しようとする課題】
【０００４】
解決しようとする課題は、容易に毛髪の根元部を起立させてボリューム感を調整することができない点である。すなわち、毛髪の根元部を起立させるためには、専用の整髪用スプレーを用いて整髪する必要があり、手間がかかる点である。
【課題を解決するための手段】
【０００５】
そこで、本考案に係るかつらは、頭部に被覆されるベース部材と、該ベース部材に取付けられた毛髪とを有するかつらに於て、ボリューム感をアップするためのボリューム形成毛束を備え、該ボリューム形成毛束の根元部と上記ベース部材との接続部位に、上記根元部を起立角度調整自在に起立させるための塑性変形可能な金属部材を設けたものである。
【０００６】
また、頭部に被覆されるベース部材と、該ベース部材に取付けられた毛髪とを有するかつらに於て、上記ベース部材が、頭部の形状に沿う形状をしたキャップ部と、該キャップ部の一部に固着されるスキン片と、を備え、さらに、ボリューム感をアップするためのボリューム形成毛束を備え、該ボリューム形成毛束の根元部と上記スキン片との接続部位に、上記根元部を起立角度調整自在に起立させるための塑性変形可能な金属部材を設けたものである。
また、上記塑性変形可能な金属部材は、その先端部が上記ボリューム形成毛束の根元部の内部に挿入状とされているものである。
【考案の効果】
【０００７】
本考案のかつらによれば、容易に毛髪の根元部を起立させて、ボリューム感を調整することができる。
【考案を実施するための最良の形態】
【０００８】
図１は、本考案の第１の実施の形態の使用状態を示す。このかつらは、頭部Ｈに被覆されるベース部材１（図２・図５・図６参照）と、ベース部材１に取付けられた毛髪２（人工毛又は天然毛）とを有するかつらであって、ボリューム感をアップするためのボリューム形成毛束３を備える。すなわち、ボリューム形成毛束３が、頭部Ｈの前側に設けられている。
【０００９】
図２に示すように、ボリューム形成毛束３の根元部４とベース部材１との接続部位Ｓに、根元部４を起立角度調整自在に起立させるための塑性変形可能な金属部材５が設けられている。金属材５は、例えば、スチール、アルミニウム、銅等から成る。
【００１０】
具体的には、ベース部材１が、頭部Ｈ（図１参照）の形状に沿う形状をした織布又は合成樹脂等から成るキャップ部６と、キャップ部６の一部に（縫製、接着等により）固着される合成樹脂製スキン片７と、を備えている。ボリューム形成毛束３の根元部４とスキン片７が、（後述の布袋体10を介して、縫製、接着等により）接続されている。ボリューム形成毛束３の根元部４とスキン片７との接続部位Ｓ1 に、根元部４を起立角度調整自在に起立させるための塑性変形可能な金属部材５が設けられている。
【００１１】
塑性変形可能な金属部材５は、その先端部８がボリューム形成毛束３の根元部４の内部に挿入状とされている。
【００１２】
図３・図４に示すように、金属部材５が、相互に平行な複数（４本）の針金９から成る。４本の針金９が、布袋体10に収納状とされている。布袋体10がクッション的な機能を発揮して、頭部Ｈが怪我をすることを防止することができる。金属部材５が針金９から成るので、金属部材５が１枚の平板からなる場合と比較して、小さな力で塑性変形させることができるとともに、根元部４の起立角度θ（図６参照）を容易に微調整することができる。起立角度は、０°〜90°の範囲にて所望の値に手にて容易に調整できる。
【００１３】
図５は、金属部材５の非起立状態を示す。図６は、金属部材５の起立状態を示す。すなわち、金属部材５が起立角度（折曲角度）θが調整自在に構成されている。
【００１４】
図７・図８は、第２の実施の形態を示す。すなわち、ボリューム形成毛束３が、４箇所───頭部Ｈの前左側、前右側、右側、及び、左側───に設けられている。その他の構成は、第１の実施の形態と同様である。
【００１５】
図９は、第３の実施の形態を示す。金属部材５が、複数（４本）の相互に平行な先端細線部11を有する略櫛型に形成されている。あらかじめ先端細線部11が相互に平行に形成されているので、金属部材５が複数の針金９から成る場合と比較して、容易に製造することができる。その他の構成は、第１の実施の形態と同様である。
【００１６】
なお、本考案は、設計変更可能であって、例えば、ボリューム形成毛束３を設ける位置は、どの位置でも良い。また、ボリューム形成毛束３を２箇所、３箇所、又は、５箇所以上に設けるも良い。また、金属部材５としては、金属網やパンチングメタル等から成るも良い。
【００１７】
以上のように、本考案は、頭部Ｈに被覆されるベース部材１と、ベース部材１に取付けられた毛髪２とを有するかつらに於て、ボリューム感をアップするためのボリューム形成毛束３を備え、ボリューム形成毛束３の根元部４とベース部材１との接続部位Ｓに、根元部４を起立角度調整自在に起立させるための塑性変形可能な金属部材５を設けたので、容易にボリューム形成毛束３の根元部４を所望の起立角度に起立させて、ボリューム感を調整することができる。特に、従来のように整髪剤スプレーを用いる手間が不要になり、至便である。
【００１８】
また、頭部Ｈに被覆されるベース部材１と、ベース部材１に取付けられた毛髪２とを有するかつらに於て、ベース部材１が、頭部Ｈの形状に沿う形状をしたキャップ部６と、キャップ部６の一部に固着されるスキン片７と、を備え、さらに、ボリューム感をアップするためのボリューム形成毛束３を備え、ボリューム形成毛束３の根元部４とスキン片７との接続部位Ｓ1 に、根元部４を起立角度調整自在に起立させるための塑性変形可能な金属部材５を設けたので、容易にボリューム形成毛束３の根元部４を所望の起立角度に起立させて、ボリューム感を調整することができる。特に、従来のように整髪剤スプレーを用いる手間が不要になり、至便である。
【００１９】
また、塑性変形可能な金属部材５は、その先端部８がボリューム形成毛束３の根元部４の内部に挿入状とされているので、ボリューム形成毛束３の起立状態（起立角度θの大小）にかかわらず、外部から金属部材５を目隠しすることができる。
【図面の簡単な説明】
【００２０】
【図１】本発明の第１の実施の形態の使用状態を示す正面図である。
【図２】要部簡略平面図である。
【図３】要部拡大平面図である。
【図４】図３のＡ−Ａ断面図である。
【図５】要部拡大簡略側面図である。
【図６】要部拡大簡略側面図である。
【図７】第２の実施の形態の使用状態を示す正面図である。
【図８】要部簡略平面図である。
【図９】第３の実施の形態を示す平面図である。
【符号の説明】
【００２１】
１  ベース部材
２  毛髪
３  ボリューム形成毛束
４  根元部
５  金属部材
６  キャップ部
７  スキン片
８  先端部
Ｈ  頭部
Ｓ  接続部位
【図１】
0003119754.tif 000003
【図２】
0003119754.tif 000004
【図３】
0003119754.tif 000005
【図４】
0003119754.tif 000006
【図５】
0003119754.tif 000007
【図６】
0003119754.tif 000008
【図７】
0003119754.tif 000009
【図８】
0003119754.tif 000010
【図９】
0003119754.tif 000011